(57)【要約】【課題】画像データの書き込み及び読出しが行われるメモリーの容量及び帯域のマージンを、格別な機器を用いることなく正確に確認可能にする。【解決手段】本発明の画像形成装置１において、メモリーコントローラー７７は、レジスター７８によりストレステストのオンが指示されると、画像データＤａにダミーデータＤｄを付加して、画像データＤａ及びダミーデータＤｄを画像メモリー６２に書き込み、画像データＤａ及びダミーデータＤｄを画像メモリー６２から読み出して、ダミーデータＤｄを廃棄すると共に画像データＤａを出力する。【選択図】図４
2017199213.tif 000002
【特許請求の範囲】
【請求項１】
メモリーと、
前記メモリーに対する、動作検証の対象とするプログラムの実行に必要なデータの書き込み及び読出しの制御を行うメモリーコントローラーと、
前記メモリーコントローラーに対して、前記プログラムの実行時における前記メモリーのストレステストのオンオフを指示する指示部とを備え、
前記メモリーコントローラーは、前記指示部により前記ストレステストのオンが指示されると、前記プログラムの実行に必要な前記データの前記メモリーへの書き込み時に、前記データにダミーデータを付加し、前記データ及び前記ダミーデータを前記メモリーに書き込み、前記メモリーから前記データ及び前記ダミーデータを読み出したときには、前記ダミーデータを廃棄して前記データを出力する電子機器。
【請求項２】
前記メモリーコントローラーは、前記指示部による前記ダミーデータのサイズ指示が示すサイズのダミーデータを生成して、前記データに付加する請求項１に記載の電子機器。
【請求項３】
前記メモリーの温度を検出する温度センサーを備え、
前記メモリーに対する前記データ及び前記ダミーデータの書き込み及び読出しのときに、前記温度センサーの検出温度に基づいて前記メモリーの耐熱限界を判定する請求項１又は２に記載の電子機器。
【請求項４】
記録媒体に画像を形成する画像形成部と、
請求項１乃至請求項３のいずれかに記載の電子機器と、を備えた画像形成装置。
【発明の詳細な説明】
【技術分野】
【０００１】
本発明は、データの書き込み及び読出しが行われるメモリーを備える電子機器及び画像形成装置に関し、特に、データ書き込み時及びデータ読出し時におけるメモリー容量及び帯域のマージンを確認するための技術に関する。
【背景技術】
【０００２】
演算装置のパフォーマンスは、メモリーの容量及び帯域によって制限される。このため、演算装置が動作するのに十分なメモリーの容量及び帯域を確保するのが望ましい。しかしながら、メモリーの容量及び帯域を増やすとコストが上がるため、メモリーの容量及び帯域を必要最低限に抑えることがある。
【０００３】
ここで、メモリーの容量及び帯域を抑えると問題になってくるのが、プログラム実行時における演算装置による各処理時に、メモリーの容量及び帯域にどれぐらいのマージンを確保できるかということである。演算装置による処理量が増大すると、そのマージンが小さくなって、演算装置による処理速度が低下し、画像形成装置の誤動作を引き起こすことになる。
【０００４】
例えば、特許文献１においては、検証対象ソフトウェアを実装させる予定のコンピューターの稼働中におけるリソース使用状態情報を収集し、この収集したリソース使用状態と同様のリソース使用状態を検証用機器で再現しつつ、検証用機器により検証対象ソフトウェアの検証テストを行っている。これにより、コンピューターにおいて検証対象ソフトウェアを実行したときに発生する処理遅延や性能劣化等を予め確認することができる。
【先行技術文献】
【特許文献】
【０００５】
【特許文献１】特開２０１０−２２４６２９号公報
【発明の概要】
【発明が解決しようとする課題】
【０００６】
しかしながら、特許文献１の技術では、演算装置とは別に検証用機器を用意する必要がある。また、検証用機器で再現されるリソース使用状態が実際のリソース使用状態とは異なる可能性があり、演算装置で実際に発生する状況を正確に確認することができない。
【０００７】
本発明は、上記の事情に鑑みなされたものであり、プログラムの実行時に必要なデータの書き込み及び読出しが行われる際におけるメモリー容量及び帯域のマージンを、格別な機器を用いることなく正確に確認可能にすることを目的とする。
【課題を解決するための手段】
【０００８】
本発明の一局面に係る電子機器は、メモリーと、前記メモリーに対する、動作検証の対象とするプログラムの実行に必要なデータの書き込み及び読出しの制御を行うメモリーコントローラーと、前記メモリーコントローラーに対して、前記プログラムの実行時における前記メモリーのストレステストのオンオフを指示する指示部とを備え、前記メモリーコントローラーは、前記指示部により前記ストレステストのオンが指示されると、前記プログラムの実行に必要な前記データの前記メモリーへの書き込み時に、前記データにダミーデータを付加し、前記データ及び前記ダミーデータを前記メモリーに書き込み、前記メモリーから前記データ及び前記ダミーデータを読み出したときには、前記ダミーデータを廃棄して前記データを出力するものである。
【０００９】
また、本発明の一局面に係る画像形成装置は、記録媒体に画像を形成する画像形成部と、上記電子機器と、を備えたものである。
【発明の効果】
【００１０】
本発明によれば、動作検証の対象とするプログラムの実行時に必要なデータの書き込み及び読出しがメモリーに対して行われる際に、当該データにダミーデータを付加して、当該データ及びダミーデータをメモリーに書き込んで読み出し、メモリーに負荷をかけている。これにより、動作検証の対象とするプログラムの実行時におけるデータの書き込み及び読出しに必要なメモリー容量及び帯域のマージンを、格別な機器を用いることなく正確に確認することが可能となる。
【図面の簡単な説明】
【００１１】
【図１】本発明に係る一実施形態の画像形成装置の構造を示す正面断面図である。
【図２】画像形成装置の主要構成を示す機能ブロック図である。
【図３】画像処理部の構成を示すブロック図である。
【図４】（ａ）は画像メモリーに対する画像データの書き込み及び読出しの状態を示す図であり、（ｂ）は画像メモリーに対するストレスデータの書き込み及び読出しの状態を示す図である。
【図５】画像メモリーに負荷をかけるための処理手順を示すフローチャートである。
【発明を実施するための形態】
【００１２】
以下、本発明の実施形態にかかる電子機器について図面を参照して説明する。本実施形態では、画像形成装置を当該電子機器の一例として説明する。
【００１３】
図１は、本発明に係る一実施形態の画像形成装置の構造を示す正面断面図である。本実施形態の画像形成装置１は、例えば、コピー機能、プリンター機能、スキャナー機能、及びファクシミリ機能のような複数の機能を兼ね備えたＭＦＰ（複合機）である。この画像形成装置１は、装置本体２に、画像読取装置（ＩＳＵ;Image scanner unit）５、操作部４７、画像形成部１２０、定着装置１３、及び給紙部１４等を設けて構成される。
【００１４】
操作部４７は、利用者により操作されて、画像形成動作や画像読取動作等の実行指示を受け付ける。
【００１５】
画像読取動作を行う場合、画像読取装置５は、例えばＣＩＳ（Contact Image Sensor）５１により原稿の画像を読取って、アナログの画像信号を出力する。この画像信号は、デジタルの画像データに変換され、この画像データがＨＤＤ６３又はネットワーク接続されたコンピューター等に保存される。
【００１６】
画像形成動作を行う場合は、上記の画像読取動作により生成されてＨＤＤ６３に記憶された画像データ、又はネットワーク接続されたコンピューターやスマートフォン等の端末装置から受信した画像データ等に基づいて、画像形成部１２０が、給紙部１４から供給される記録媒体としての記録紙Ｐにトナー像を形成する。
【００１７】
画像形成部１２０は、マゼンタ用の画像形成ユニット１２Ｍ、シアン用の画像形成ユニット１２Ｃ、イエロー用の画像形成ユニット１２Ｙ、及びブラック用の画像形成ユニット１２Ｂｋを備えている。各画像形成ユニット１２Ｍ、１２Ｃ、１２Ｙ、及び１２Ｂｋは、感光体ドラム１２２と、感光体ドラム１２２の表面を均一に帯電させる帯電装置と、感光体ドラム１２２の表面を露光して、その表面に画像データによって示される静電潜像を形成する露光装置（ＬＳＵ；Laser scanning units）１２３と、トナーを用いて、感光体ドラム１２２の表面の静電潜像をトナー像に現像する現像装置１２４と、１次転写ローラー１２６とをそれぞれ備えている。
【００１８】
カラー印刷を行う場合、各画像形成ユニット１２Ｍ、１２Ｃ、１２Ｙ、及び１２Ｂｋにおいては、感光体ドラム１２２の表面を均一に帯電させてから露光して、その表面にカラーの色成分の画像に対応する静電潜像を形成し、感光体ドラム１２２の表面の静電潜像を現像装置１２４により現像して、感光体ドラム１２２上にその色成分のトナー像を形成し、トナー像を１次転写ローラー１２６により駆動ローラー１２５Ａ及び従動ローラー１２５Ｂに張架されている中間転写ベルト１２５上に１次転写させる。
【００１９】
中間転写ベルト１２５は、その外周面にトナー像が転写される像担持面が設定されており、感光体ドラム１２２の周面に当接した状態で駆動ローラー１２５Ａによって駆動される。中間転写ベルト１２５は、各感光体ドラム１２２と同期しながら、駆動ローラー１２５Ａと従動ローラー１２５Ｂとの間を無端走行する。
【００２０】
中間転写ベルト１２５上に転写される各色成分のトナー像は、転写タイミングを調整して中間転写ベルト１２５上で重ね合わされ、カラーのトナー像となる。２次転写ローラー２１０は、中間転写ベルト１２５の表面に形成されたカラーのトナー像を、該２次転写ローラー２１０と中間転写ベルト１２５との間のニップ部Ｎにおいて給紙部１４から搬送路１９０を通じて搬送されてきた記録紙Ｐに２次転写させる。
【００２１】
この後、定着装置１３で記録紙Ｐが加熱及び加圧されて、記録紙Ｐ上のトナー像が熱圧着により定着され、更に記録紙Ｐが排出ローラー対１５９を通じて排出トレイ１５１に排出される。
【００２２】
給紙部１４は、複数の記録紙Ｐを収容しており、ピックアップローラー１４５を回転駆動して、記録紙Ｐを搬送路１９０へと搬送供給する。
【００２３】
次に、画像形成装置１の構成を説明する。図２は、画像形成装置１の主要構成を示す機能ブロック図である。
【００２４】
図２に示すように画像形成装置１は、制御ユニット６０、画像読取装置５、画像形成部１２０、定着装置１３、給紙部１４、操作部４７、画像メモリー６２、ＨＤＤ６３、ファクシミリ通信部６４、及びネットワークインターフェイス部６６等を備えて構成される。なお、図１を用いて説明した構成要素と同じものには同じ番号を付している。
【００２５】
制御ユニット６０は、制御部６１や画像処理部６７等を備えている。制御部６１は、画像処理部６７、画像読取装置５、定着装置１３、画像形成部１２０、給紙部１４、操作部４７、ＨＤＤ６３、ファクシミリ通信部６４、及びネットワークインターフェイス部６６等と接続されて、画像形成装置１の全体を制御する。
【００２６】
ファクシミリ通信部６４は、図略の符号化／復号化部、変復調部及びＮＣＵ（Network Control Unit）を備え、公衆電話回線網を通じてファクシミリ通信を行うものである。
【００２７】
ネットワークインターフェイス部６６は、ＬＡＮボード等の通信モジュールから構成され、ネットワークインターフェイス部６６に接続されたＬＡＮ等のネットワークＮＴを介して、ネットワークＮＴ上のパーソナルコンピューター（ＰＣ）等の端末装置６５と種々のデータ通信を行う。
【００２８】
画像メモリー６２は、例えばＤＤＲ３−ＳＤＲＡＭであり、画像読取装置５により読取られた原稿の画像のデータを一時的に記憶したり、ネットワークインターフェイス部６６で受信された画像データを一時的に記憶したりする。制御ユニット６０の画像処理部６７は、画像メモリー６２に対する画像データの書き込み及び読出し、画像データの各種処理などを行う。ＨＤＤ６３は、画像データ等を記憶する大容量の記憶装置である。画像メモリー６２は、特許請求の範囲におけるメモリーの一例である。
【００２９】
このような構成において、利用者は、操作部４７を操作することによりファクシミリ通信機能、コピー機能、及びプリンター機能のいずれかを利用したジョブを指示することができる。例えば、操作部４７の操作によりコピー機能を利用したジョブが指示されると、制御部６１は、画像読取装置５により原稿の画像を読取らせ、画像形成部１２０により原稿の画像を記録紙Ｐに印刷させて、この記録紙Ｐを排出トレイ１５１に排出させる。
【００３０】
次に、画像処理部６７の構成を説明する。図３は、画像処理部６７の構成を示すブロック図である。
【００３１】
画像処理部６７は、例えばＳｏＣ（System-on-a-chip）として設けられている。画像処理部６７は、例えば、アナログフロントエンド(ＡＦＥ：Analog Front End)７１、シェーディング補正部（ＳＨＤ：shading Module）７２、圧縮処理部（ＧＳＣＵ：General Stripe Compression Unit）７３、伸張処理部（ＧＢＣＵ：General Band Composition Unit）７４、プリントエンジン部（ＰＶＣ：Print Engine Video Controller）７５、ビデオ部（ＶＩＤＥＯ：Video Module）７６、メモリーコントローラー（DRAM Controller）７７、及びレジスター７８等を備えている。なお、画像処理部６７は、制御ユニット６０の一部としてではなく、ＡＳＩＣにより構成することも可能である。
【００３２】
ここで、制御部６１は、プログラムに従って画像処理部６７で実行される複数の処理の実行命令をレジスター７８に書き込む。画像処理部６７では、レジスター７８に書き込まれたそれぞれの処理の実行命令に基づき該各処理を実行する。例えば、画像処理部６７では、画像読取装置５から画像信号を入力して露光装置１２３に画像データを出力するまでの一連の処理を実行する。以下には、画像形成装置１に、画像読取装置５から画像信号を入力して露光装置１２３に画像データを出力する動作を行わせるプログラムを実行する場合を例にして説明する。制御部６１及びレジスター７８は、特許請求の範囲における指示部の一例となる。
【００３３】
アナログフロントエンド７１は、原稿の画像を示すアナログの画像信号を画像読取装置５から入力し、この画像信号をデジタルの画像データに変換し、この画像データを出力する。シェーディング補正部７２は、画像データを入力すると、この画像データにシェーディング補正を施し、この補正された画像データを出力する。この補正された画像データは、メモリーコントローラー７７により画像メモリー６２に書き込まれる。引き続いて、圧縮処理部７３は、メモリーコントローラー７７を経由して、その補正された画像データを画像メモリー６２から入力し、この画像データに圧縮処理を施して、この圧縮された画像データを出力する。この圧縮された画像データは、メモリーコントローラー７７により画像メモリー６２に書き込まれる。更に、伸張処理部７４は、メモリーコントローラー７７を経由して、その圧縮された画像データを画像メモリー６２から入力し、この圧縮された画像データに伸張処理を施して、この伸張処理を施された画像データを出力する。この画像データは、メモリーコントローラー７７により画像メモリー６２に書き込まれる。更に、プリントエンジン部７５は、メモリーコントローラー７７を経由して、その画像データを画像メモリー６２から入力し、この画像データを該プリントエンジン部７５からビデオ部７６を通じて画像形成部１２０の露光装置１２３へと出力する。この露光装置１２３により、画像データによって示される静電潜像が感光体ドラム１２２の表面に形成され、この静電潜像がトナー像に現像され、このトナー像が感光体ドラム１２２から中間転写ベルト１２５を介して記録紙Ｐに転写される。
【００３４】
このように画像処理部６７では、上記プログラムに従った処理を行う際、原稿の画像を示す画像信号を画像読取装置５から入力すると、この画像信号を画像データに変換して、メモリーコントローラー７７により画像メモリー６２に対する画像データの書き込み及び読出しを繰り返しつつ、画像データに対する各種の処理を施し、この後に画像データを画像形成部１２０の露光装置１２３へと出力する。
【００３５】
図４（ａ）は、画像メモリー６２に対する画像データの書き込み及び読出しの状態を示している。図４（ａ）に示すようにメモリーコントローラー７７により１頁の原稿の画像を示す画像データＤａが画像メモリー６２に繰り返し書き込まれたり読出されたりし、シェーディング補正部７２、圧縮処理部７３、伸張処理部７４、及びプリントエンジン部７５により１頁の原稿の画像を示す画像データＤａが逐次処理される。
【００３６】
なお、メモリーコントローラー７７は、画像読取装置５からの画像信号に対応する画像データだけではなく、操作部４７の表示部４７３（図２参照）の画面を示す画像データ等についても、レジスター７８内の処理の実行命令に基づき画像メモリー６２に対して書き込み及び読出しの制御を行う。
【００３７】
ところで、画像メモリー６２の容量及び帯域を増やすとコストが上がるので、画像メモリー６２の容量及び帯域を制限することがある。しかしながら、画像メモリー６２の容量及び帯域を制限すると、画像処理部６７による処理量が増大したときに、画像メモリー６２の容量及び帯域のマージンが小さくなる。これにより、画像処理部６７の処理速度が低下し、画像形成装置１の誤動作を引き起こすことになる。従って、画像メモリー６２の容量及び帯域については、正確な検証を行った上で設定する必要がある。また、この検証を、格別な機器を用いることなく行うのが望ましい。
【００３８】
そこで、本実施形態では、画像形成装置１の開発並びに設計の段階で、画像形成装置１で用いるプログラムの動作検証を行うために、当該プログラムを動作させた場合のストレステストを行う。本実施形態では、当該ストレステストとして、上記プログラムに従った画像処理部６７による画像データの処理を行う場合を例にして説明する。このストレステストにおいては、メモリーコントローラー７７により、画像メモリー６２に対する画像データ及びダミーデータの書き込み及び読出しを繰り返して、画像メモリー６２に負荷をかけるだけで、画像メモリー６２の容量及び帯域のマージンが足りているか否かを確認する。
【００３９】
次に、上記ストレステストにおいて画像メモリー６２に負荷をかけるための処理手順を、図５のフローチャートを参照しつつ説明する。
【００４０】
まず、制御部６１は、ストレステストの実行命令及びダミーデータの量をレジスター７８に書き込む（ステップＳ１０１）。そして、制御部６１は、当該ストレステストの実行命令に従って、ストレステストとして、上記プログラム（動作検証の対象とするプログラム）に従った処理を開始し、まず、画像読取装置５により原稿を読取らせて、画像読取装置５から原稿の画像を示す画像データを出力させる（ステップＳ１０２）。このとき、画像処理部６７では、上記のような画像読取装置５から画像信号を入力して露光装置１２３に画像データを出力するまでの一連の処理を行いつつ、次のような手順で画像メモリー６２に対してストレスをかける。
【００４１】
メモリーコントローラー７７は、例えばレジスター７８から読取ったダミーデータの量が画像データの５０％の量を示すとすると、図４（ｂ）に示すようにシェーディング補正部７２から１頁の原稿の画像を示す画像データＤａを入力したときに、画像データＤａの５０％の量のダミーデータＤｄを生成して（ステップＳ１０４）、このダミーデータＤｄを該画像データＤａに付加したストレスデータＤｅを形成し、このストレスデータＤｅを画像メモリー６２に書き込む（ステップＳ１０５）。例えば、ダミーデータＤｄは、１頁の原稿の画像を示す画像データＤａの前半分又は後半分を抽出して生成される。
【００４２】
引き続いて、メモリーコントローラー７７は、ストレスデータＤｅを画像メモリー６２から読出し（ステップＳ１０６）、このストレスデータＤｅから所定量の画像データＤａのみを抽出して、ダミーデータＤｄを廃棄し（ステップＳ１０７）、画像データＤａを圧縮処理部７３に出力する（ステップＳ１０８）。圧縮処理部７３は、画像データＤａを入力して、この画像データＤａに圧縮処理を施し、この圧縮された画像データＤａを出力する。
【００４３】
メモリーコントローラー７７は、圧縮処理部７３により圧縮された画像データＤａを入力すると（ステップＳ１０９）、この圧縮された画像データＤａの５０％の量のダミーデータＤｄを生成して（ステップＳ１１０）、このダミーデータＤｄを該画像データＤａに付加したストレスデータＤｅを形成し、このストレスデータＤｅを画像メモリー６２に書き込む（ステップＳ１１１）。
【００４４】
更に、メモリーコントローラー７７は、ステップＳ１１１のストレスデータＤｅを画像メモリー６２から読出して（ステップＳ１１２）、このストレスデータＤｅから上記圧縮された画像データＤａのみを抽出して、ダミーデータＤｄを廃棄し（ステップＳ１１３）、この圧縮された画像データＤａを伸張処理部７４に出力する（ステップＳ１１４）。伸張処理部７４は、その圧縮された画像データＤａを入力して、この画像データＤａに伸張処理を施し、この伸張処理を施された画像データＤａを出力する。
【００４５】
メモリーコントローラー７７は、伸張処理部７４から画像データＤａを入力すると（ステップＳ１１５）、この画像データＤａの５０％の量のダミーデータＤｄを生成して（ステップＳ１１６）、このダミーデータＤｄを該画像データＤａに付加したストレスデータＤｅを形成し、このストレスデータＤｅを画像メモリー６２に書き込む（ステップＳ１１７）。
【００４６】
更に、メモリーコントローラー７７は、ステップＳ１１７のストレスデータＤｅを画像メモリー６２から読出して（ステップＳ１１８）、このストレスデータＤｅから画像データＤａのみを抽出して、ダミーデータＤｄを廃棄し（ステップＳ１１９）、この画像データＤａをプリントエンジン部７５に出力する（ステップＳ１２０）。プリントエンジン部７５は、その画像データＤａを入力して、この画像データＤａを、ビデオ部７６を通じて画像形成部１２０の露光装置１２３へと出力する。
【００４７】
このように画像メモリー６２のストレステストの実行に際しては、画像データＤａにダミーデータＤｄを付加してなるストレスデータＤｅを画像メモリー６２に対して書き込んで読み出しているので、画像メモリー６２に対する書き込み及び読出しのデータ量が増大して、画像メモリー６２に負荷がかかる。
【００４８】
また、レジスター７８に対してストレステストの実行命令と共に書き込まれるダミーデータＤｄの量を、画像データＤａの５０パーセントの量から１０％、３０％、７０％、９０％などの量に変更すると、画像メモリー６２に対して書き込まれて読出されるストレスデータＤｅの量が変化し、画像メモリー６２にかかる負荷も変化する。
【００４９】
従って、画像形成装置１の実際の稼働中に、画像メモリー６２にかかる負荷を適宜変更することができる。
【００５０】
なお、ストレスデータＤｅが画像メモリー６２から読み出されたときには、ストレスデータＤｅに含まれる画像データＤａのみが抽出されるので、画像データＤａに対する処理の負荷に影響が及ぶことはない。
【００５１】
一方、画像メモリー６２にオーバーフロー等が生じたとき、つまり画像メモリー６２に過負荷がかかったときには、画像処理部６７による画像処理に遅延が生じて、例えば画像読取装置５による原稿の読取開始から画像形成部１２０による画像形成終了までの処理時間が秒単位で長くなるか、または、処理が実行できない（制御ユニット６０の動作が停止する）事態が生じる。このため、画像形成装置１の設計者は、その処理時間を測定する、または、処理が実行されない事態を認識することで、この処理時間に基づき、画像メモリー６２の処理に及ぼす影響を知ることができる。そして、ダミーデータＤｄの量を適宜変更して、画像メモリー６２に過負荷がかかったときのダミーデータＤｄの量を求めることにより、画像メモリー６２の容量及び帯域のマージンの適正度を確認することができる。
【００５２】
あるいは、画像メモリー６２に過負荷がかかったときには、制御ユニット６０の動作が停止して、制御ユニット６０に対する信号の入出力の異常等が発生し、この異常の発生が操作部４７の表示部４７３に表示される。このため、ダミーデータＤｄの量を適宜変更して、異常の発生が表示されたときのダミーデータＤｄの量を求めることにより、画像メモリー６２の容量及び帯域のマージンの適正度を確認することができる。
【００５３】
すなわち、本実施形態の画像形成装置１においては、ソフトウェア（上記動作検証の対象とするプログラム）、ハードウェアいずれについても実使用の状態で、上記のように画像メモリー６２にかかる負荷を変更しながら、画像メモリー６２の容量及び帯域のマージンの適正度を確認することができる。
【００５４】
また、従来のように検証用機器を設ける必要がなく、画像メモリー６２の容量及び帯域のマージンをリアルタイムで正確に確認することができる。
【００５５】
また、画像メモリー６２の温度を検出する温度センサーを設けておけば、ストレステストの実行に際し、画像メモリー６２の温度を該センサーで検出して、上記のように画像メモリー６２に過負荷がかかったときに温度センサーにより検出された温度に基づき、画像メモリー６２の耐熱限界を判定可能になる。
【００５６】
また、上記実施形態では、画像形成装置１に、画像読取装置５から画像信号を入力して露光装置１２３に画像データを出力する動作を行わせるプログラムを実行する場合を例として、画像メモリー６２に画像データを書き込み及び読み出す例を説明したが、ストレステストとして、メモリーに書き込み及び読み出しを行うデータは、動作検証の対象とするプログラムの実行に必要な他のデータであっても構わない。
【００５７】
また、上記実施形態では、本発明に係る画像形成装置の一実施形態としてカラー複合機を用いて説明しているが、これは一例に過ぎず、モノクロ複合機や他の電子機器、例えば、プリンター、コピー機、ファクシミリ装置等の他の画像形成装置でもよい。
【００５８】
また、図１乃至図５を用いて説明した上記実施形態の構成及び処理は、本発明の一実施形態に過ぎず、本発明を当該構成及び処理に限定する趣旨ではない。
【符号の説明】
【００５９】
１        画像形成装置
２        装置本体
５        画像読取装置
１３      定着装置
１４      給紙部
４７      操作部
６０      制御ユニット
６１      制御部
６２      画像メモリー
６３      ＨＤＤ
６４      ファクシミリ通信部
６６      ネットワークインターフェイス部
６７      画像処理部
７１      アナログフロントエンド
７２      シェーディング補正部
７３      圧縮処理部
７４      伸張処理部
７５      プリントエンジン部
７６      ビデオ部
７７      メモリーコントローラー
７８      レジスター
１２０    画像形成部
【図１】
2017199213.tif 000003
【図２】
2017199213.tif 000004
【図３】
2017199213.tif 000005
【図４】
2017199213.tif 000006
【図５】
2017199213.tif 000007